(57)【要約】【課題】放電ランプを備えるプロジェクタ装置において、設置傾斜角度に制限のないプロジェクタ装置の光源冷却方法およびプロジェクタ装置を提供する。【解決手段】プロジェクタ装置の傾斜の角度を検出し、重力の方向を認識して、重力の方向と逆側の部分である光源４の高温部分を特定する。あるいは、光源４の各部分の温度を測定して、光源の高温部分を特定する。制御部２は、光源の高温部分に風を当てるように冷却部３を制御して高温部分を冷却し、光源４の各部分を適正な温度差の範囲内に保つ。【選択図】  図１
2004191518.tif 000002
【特許請求の範囲】
【請求項１】
光源からの光を光変調素子に照射し、光変調素子によって形成された画像を拡大して投射するプロジェクタ装置であって、前記光源を冷却する冷却手段を備えたプロジェクタ装置の冷却方法において、
プロジェクタ装置の傾斜の角度である設置傾斜角度を検出し、
検出した前記設置傾斜角度に応じて、前記光源の特定の部分を、前記光源の他の部分よりも強く冷却するように前記冷却手段を制御する
ことを特徴とするプロジェクタ装置の光源冷却方法。
【請求項２】
光源からの光を光変調素子に照射し、光変調素子によって形成された画像を拡大して投射するプロジェクタ装置であって、前記光源を冷却する冷却手段を備えたプロジェクタ装置の冷却方法において、
前記光源の温度分布を測定し、
測定した前記光源の温度分布に応じて、前記光源の特定の部分を、前記光源の他の部分よりも強く冷却するように前記冷却手段を制御する
ことを特徴とするプロジェクタ装置の光源冷却方法。
【請求項３】
光源からの光を光変調素子に照射し、光変調素子によって形成された画像を拡大して投射するプロジェクタ装置において、
前記光源を冷却する冷却手段と、
プロジェクタ装置の傾斜の角度である設置傾斜角度を検出する設置角度検出手段と、
前記設置角度検出手段が検出した前記設置傾斜角度に応じて、前記光源の特定の部分を、前記光源の他の部分よりも強く冷却するように前記冷却手段を制御する制御手段とを備える
ことを特徴とするプロジェクタ装置。
【請求項４】
光源からの光を光変調素子に照射し、光変調素子によって形成された画像を拡大して投射するプロジェクタ装置において、
前記光源を冷却する冷却手段と、
前記光源の温度分布を測定する光源温度検出手段と、
前記光源温度検出手段が測定した前記光源の温度分布に応じて、前記光源の特定の部分を、前記光源の他の部分よりも強く冷却するように前記冷却手段を制御する制御手段とを備える
ことを特徴とするプロジェクタ装置。
【請求項５】
冷却手段は、光源のそれぞれ異なる部分に風を当てる複数のファンによって構成され、
制御手段は、前記光源の特定の部分に風を当てるファンの回転速度を、他のファンの回転速度よりも速くさせる
請求項３または請求項４に記載のプロジェクタ装置。
【請求項６】
冷却手段は、光源に風を当てるファンと、前記ファンと前記光源との間に配置され前記光源の各部分に向かう風の量を変化させる可動式の板である導風板とで構成され、
制御手段は、前記光源の特定の部分に前記光源の他の部分よりも多く風が向かうように、前記導風板の可動量を決定する
請求項３または請求項４に記載のプロジェクタ装置。
【請求項７】
冷却手段は、ファンと、光源のそれぞれ異なる部分に風を当てるために前記ファンが発生した風を通過させる複数の導風路と、各導風路の開口面積をそれぞれ変化させて、前記各導風路を通過する風の量をそれぞれ制御する開閉板とで構成され、
制御手段は、前記光源の特定の部分に風を当てる導風路の開口面積を増やすように前記開閉板を制御して、前記光源の特定の部分に風を当てる導風路を通過する風を、他の導風路を通過する風よりも多くする
請求項３または請求項４に記載のプロジェクタ装置。
【請求項８】
冷却手段の冷却用空気の温度を検出する外気温度検出手段を備え、
制御手段は、さらに、前記外気温度検出手段が検出した冷却用空気の温度に応じて、冷却手段の冷却の度合を制御する
請求項５から請求項７のうちいずれか１項に記載のプロジェクタ装置。
【発明の詳細な説明】
【０００１】
【発明の属する技術分野】
本発明は、放電ランプ式光源を備えたプロジェクタ装置の光源冷却方法およびプロジェクタ装置に関する。
【０００２】
【従来の技術】
近年、パーソナルコンピュータなどのＩＴ機器の、教育現場や企業等への普及に伴い、会議室や教室等で行われるプレゼンテーションや講義等において、大画面表示の需要が高まり、市場が拡大している。この大画面表示を実現する方法の１つとしてプロジェクタ装置がある。プロジェクタ装置は、光源が発する光をリフレクタ等の反射鏡を用いて集光し、プリズム、反射鏡および光変調素子としての映像表示パネル（例えば液晶パネル）で光学処理を行った後、投射レンズで映像を拡大し、スクリーンに投射して表示する。
【０００３】
市場の拡大に伴い、様々な設置状況に対応できるプロジェクタ装置が要望されている。しかし、一般的にプロジェクタ装置の光源に用いられている高圧水銀ランプなどの放電ランプは、プロジェクタ装置を傾けて設置すると放電ランプの温度分布に影響を与えることから、プロジェクタ装置の設置状況は傾斜角度に制限される。
【０００４】
放電ランプの温度分布について、図７を参照して説明する。放電ランプは、バルブ１７内の陽極１４と、陰極１５との間に高電圧を印加され、アーク１６をはっせいすることにより光を発生する。発生するアーク１６は、陽極１４と、陰極１５との間に直線的に発生するのではなく、重力の向きと逆の方向に弧を描くように曲がって発生し、光とともに非常に大きな熱を放射する。
【０００５】
また、内部に水銀や、希ガスなどを封入したガラス管であるバルブ１７の形状は、一般的に陽極１４と陰極１５とを結ぶ直線を中心として、同心円を描く形状のものが用いられる。従ってバルブ１７にはアーク１６に近い部分と、遠い部分とが存在し、アーク１６に近い部分は、遠い部分に比べて高温になる。具体的には、重力の向きと逆側の部分であるバルブ１７の上方部分はアーク１６に近いため、重力の向きの部分であるバルブ１７の下方部分に比べて高温になる。
【０００６】
一般的に、バルブの点灯に最適な温度は１０００℃程度であるが、このように、バルブ１７には部分による温度差が発生しやすい。そのためプロジェクタ装置は、バルブ１７全体を一様に冷却するのではなく、高温となる部分を他の部分よりも強く冷却する。具体的には、冷却用ファン、および固定式の導風板、あるいはダクト等を用いてバルブ１７の上部に風の流路を設けることにより、バルブ１７の高温部分と低温部分との温度差は１００℃程度となっている。
【０００７】
しかし、バルブ１７のうち高温となる部分は、重力の向きに連動して変化してしまうためプロジェクタ装置の設置の傾斜の角度によって変化する。そのため、バルブ１７の高温となる部分と、強く冷却する部分とが一致せず、部分による温度差が発生する。例えば３０°程度傾けると、温度差は３００℃程度になる。この温度差を原因として、明るさの急激な減少やバルブ１７の破裂など、信頼性を損なう問題が発生する。図８に従来のプロジェクタ装置の一構成例のブロック図を示す。従来のプロジェクタ装置は、設置傾斜角度を検出せず、設置傾斜角度に応じた制御を行わない。そのため、設置傾斜角度を１５°程度の狭い範囲に制限して温度差の発生をおさえており、対応できる設置状況に大きな制限がある。
【０００８】
プロジェクタ装置の設置角度を検出する設置角度センサを備え、検出した設置角度から設置状況を判断して、筐体内の冷却力を変化させる装置がある（例えば、特許文献１参照。）。
【０００９】
また、装置内に温度センサを設置して温度を測定し、測定した温度に応じて冷却力を決定するプロジェクタもある（例えば、実用新案文献１参照。）。
【００１０】
【特許文献１】
特開平２００１−２１９９９号公報  （第３−４頁、第１図）
【実用新案文献１】
実開平７−２６８８６号公報  （第５−６頁、第１図）
【００１１】
【発明が解決しようとする課題】
しかし、特許文献１に記載されている装置は、筐体内を一律に冷却するものであり、光源の温度分布には着目しておらず、光源の冷却方法について何ら開示していない。
【００１２】
また、実用新案文献１に記載されているプロジェクタは、筐体内の温度に応じて冷却力を変化させるもので、設置傾斜角度による光源の温度分布の変化とその対策について何ら開示していない。
【００１３】
そこで本発明は、放電ランプを備えるプロジェクタ装置において、設置傾斜角度に制限のないプロジェクタ装置の光源冷却方法およびプロジェクタ装置を提供することを目的とする。
【００１４】
【課題を解決するための手段】
本発明によるプロジェクタ装置の光源冷却方法は、光源からの光を光変調素子に照射し、光変調素子によって形成された画像を拡大して投射するプロジェクタ装置であって、光源を冷却する冷却手段を備えたプロジェクタ装置の冷却方法において、プロジェクタ装置の傾斜の角度である設置傾斜角度を検出し、検出した設置傾斜角度に応じて、光源の特定の部分を、光源の他の部分よりも強く冷却するように冷却手段を制御することを特徴とする。
【００１５】
本発明によるプロジェクタ装置の光源冷却方法は、光源からの光を光変調素子に照射し、光変調素子によって形成された画像を拡大して投射するプロジェクタ装置であって、光源を冷却する冷却手段を備えたプロジェクタ装置の冷却方法において、光源の温度分布を測定し、測定した光源の温度分布に応じて、光源の特定の部分を、光源の他の部分よりも強く冷却するように冷却手段を制御することを特徴とする。
【００１６】
本発明によるプロジェクタ装置の光源冷却方法は、光源からの光を光変調素子に照射し、光変調素子によって形成された画像を拡大して投射するプロジェクタ装置において、光源を冷却する冷却手段と、プロジェクタ装置の傾斜の角度である設置傾斜角度を検出する設置角度検出手段と、設置角度検出手段が検出した設置傾斜角度に応じて、光源の特定の部分を、光源の他の部分よりも強く冷却するように冷却手段を制御する制御手段とを備えることを特徴とする。
【００１７】
本発明によるプロジェクタ装置は、光源からの光を光変調素子に照射し、光変調素子によって形成された画像を拡大して投射するプロジェクタ装置において、光源を冷却する冷却手段と、光源の温度分布を測定する光源温度検出手段と、光源温度検出手段が測定した光源の温度に応じて、光源の特定の部分を、光源の他の部分よりも強く冷却するように冷却手段を制御する制御手段とを備えることを特徴とする。
【００１８】
冷却手段は、光源のそれぞれ異なる部分に風を当てる複数のファンによって構成されていてもよく、制御手段は、光源の特定の部分に風を当てるファンの回転速度を、他のファンの回転速度よりも速くさせてもよい。そのような構成によれば、制御手段が設置傾斜角度に応じて各ファンの回転速度を制御するため、設置傾斜角度によらず、光源の温度分布を適正に保つことができる。
【００１９】
冷却手段は、光源に風を当てるファンと、ファンと光源との間に配置され光源の各部分に向かう風の量を変化させる可動式の板である導風板とで構成されてもよく、制御手段は、光源の特定の部分に光源の他の部分よりも多く風が向かうように、導風板の可動量を決定してもよい。そのような構成によれば、制御手段が設置傾斜角度に応じて導風板を制御して、設置傾斜角度によらず、光源の温度分布を適正に保つことができる。
【００２０】
冷却手段は、ファンと、ファンが発生した風を通過させて光源のそれぞれ異なる部分に風を当てる複数の導風路と、各導風路に対応して開口面積をそれぞれ変化させて各導風路を通過する風の量をそれぞれ制御する開閉板とで構成されていてもよく、制御手段は、光源の特定の部分に風を当てる導風路の開口面積を増やすように開閉板を制御して、光源の特定の部分に風を当てる導風路を通過する風を、他の導風路を通過する風よりも多くさせてもよい。そのような構成によれば、制御手段が設置傾斜角度に応じて開閉板を制御して、設置傾斜角度によらず、光源の温度分布を適正に保つことができる。
【００２１】
冷却手段の冷却用空気の温度を検出する外気温度検出手段を備えてもよく、制御手段は、さらに、外気温度検出手段が検出した冷却用空気の温度に応じて、冷却手段の冷却の度合を制御してもよい。そのような構成によれば、制御手段が冷却用空気の温度に応じて冷却手段を制御するため、冷却用空気の温度によらず、光源の温度分布を適正に保つことができる。
【００２２】
【発明の実施の形態】
以下、本発明の実施の形態を図面を参照して説明する。
【００２３】
実施の形態１．
図１は本発明によるプロジェクタ装置の第１の実施の形態の一構成例を示すブロック図である。設置角度検出手段である傾きセンサ１は、例えば温度傾斜センサ等で構成され、プロジェクタ装置の設置状態における傾斜の角度である設置傾斜角度を検出して制御部２に伝える。制御手段である制御部２は、傾きセンサ１が検出した設置傾斜角度に応じた制御信号を冷却ファン５および冷却ファン６に出力して、各ファンの回転速度を制御する。
【００２４】
冷却ファン５および冷却ファン６は冷却手段である冷却部３を構成し、それぞれ制御信号に応じて、羽根を回転して風を発生する動作である冷却動作を行う。各冷却ファンが発生した風は、プロジェクタ装置の光源である光源４に当てられ、光源４は冷却される。また、各冷却ファンの発生した風の光源４に当たる部分はそれぞれ異なる。
【００２５】
次に、この実施の形態の動作について、図２を参照して説明する。図２はこの実施の形態の冷却部３と光源４とを表した図である。
【００２６】
傾きセンサ１は、設置傾斜角度を検出して制御部２に伝える。制御部２は、傾きセンサ１が検出した設置傾斜角度に基づいて重力の方向を認識し、光源４のどの部分が高温となる上方部分であるかを判断する。そして制御部２は、光源４の上方部分に風を当てるのは冷却ファン５であるか、冷却ファン６であるかを判断する。例えば、冷却ファン５が発生した風が光源４の上方部分に当たると判断すると、冷却ファン６に比べて冷却ファン５が強く冷却動作するように冷却ファン５と冷却ファン６とに制御信号を出力する。制御信号に基づき冷却ファン５は、羽根の回転速度を上げて強い冷却動作を行い、強い風を発生させる。発生した風は、高温部である光源４の上方部分に当たり、光源４の上方部分は強く冷却され、光源４の各部分の温度を適正な温度差の範囲内に保つ。
【００２７】
また、制御部２が、光源４の上方部分に冷却ファン６が発生した風が当たると判断した場合には、制御部２は、冷却ファン６の羽根の回転速度を上げて強く冷却動作させ、光源４の上方部分を強く冷却し、光源４の各部分の温度を適正な温度差の範囲内に保つ。
【００２８】
また、冷却部３は冷却ファンを３個以上備えていてもよい。そして、各冷却ファンの発生する風が光源４のそれぞれ異なる部分に当たるように各冷却ファンを配置する。制御部２は、設置傾斜角度から重力の方向を認識し、光源４の上方部分に風を当てる冷却ファンがどれであるかを判断する。そして制御部２は、光源４の上方部分に風を当てる冷却ファンを強く冷却動作させ、光源４の各部分の温度を適正な温度差の範囲内に保つ。冷却ファンの数が多いと光源４の上方部分により正確に風を当てることができるため、冷却ファンの数は多い方が好ましい。
【００２９】
また、図５に表したように、傾きセンサ１の代わりに光源４の各部分の温度を測定する温度センサ１２を備えてもよい。光源温度検出手段である温度センサ１２は、例えばダイオードの順方向電圧の温度による変化を検出して、温度を測定する構成のものである。また、温度センサ１２は複数設けられていてもよい。
【００３０】
温度センサ１２は光源４の各部分の温度を読み取る。制御部２は、温度センサ１２が読み取った光源４の各部分の温度から、高温となっている部分を抽出して、その部分に風を当てる冷却ファンがどれであるかを判断する。そして、高温となっている部分に風を当てる冷却ファンが強く冷却するように各冷却ファンの回転速度を制御する。すると、光源４の高温部分は強く冷却され、光源４の各部分の温度を適正な温度差の範囲内に保つ。
【００３１】
また図６に表したように、冷却部３の近傍に光源４の冷却に使用する空気の温度を測定する外気温度検出手段である温度センサ１３を備えてもよい。構成は、例えば温度センサ１２と同様である。
【００３２】
このとき、温度センサ１３は光源４の冷却に使用する空気の温度を読み取り、制御部２は、温度センサ１３が読み取った空気の温度から、各冷却ファンの回転速度を変化させる。空気の温度が所定の温度より低ければ、少ない風量で光源４が冷却されると判断して、各冷却ファンの回転速度を下げる。空気の温度が所定の温度より高ければ、光源４の冷却には大きな風量が必要になると判断して、各冷却ファンの回転速度を上げる。
【００３３】
実施の形態２．
以下、本発明の第２の実施の形態について説明する。
【００３４】
本実施の形態と、第１の実施の形態との構成の違いは、冷却部３が冷却ファン６の代わりに導風板７を備えることである。導風板７は、冷却ファン５と光源４との間に配置し、制御部２の制御に基づいて、冷却ファン５に対する角度が変化する。そして、導風板７は、冷却ファン５に対する角度を変化させることにより冷却ファン５が発生した風の向きを変化させ、光源４の各部分に当たる風の量を変化させる。
【００３５】
次に、この実施の形態の動作について、図３を参照して説明する。図３はこの実施の形態の冷却部３と光源４とを表した図である。導風板７は、冷却ファン５が発生した風を、光源４の上方部分に向かう風と光源４の下方部分に向かう風とに分離する。
【００３６】
傾きセンサ１は、このときの設置傾斜角度を検出して制御部２に伝える。制御部２は、傾きセンサ１が検出した設置傾斜角度に基づいて重力の方向を認識し、光源４のどの部分が高温となる上方部分になるかを判断する。そして、光源４の上方部分に向かう風を増やすように導風板７の角度を変化させる。すると、光源４の上方部分に当たる風量が増え、光源４の上方部分は強く冷却され、光源４の各部分の温度を適正な温度差の範囲内に保つ。
【００３７】
また、冷却部３は導風板７に加えて、冷却ファンを２個以上備えてもよい。冷却ファンが発生する風を導風板７が左右に分離するような設置傾斜角度でプロジェクタ装置が設置されたときに、一の冷却ファンは光源４の上方部分を冷却し、他の冷却ファンは光源４の他の部分を冷却するように配置する。そして制御部２は光源４の上方部分に風を当てる冷却ファンを強く冷却動作させることにより、光源４の上方を強く冷却し、光源４の各部分の温度を適正な温度差の範囲内に保つ。冷却ファンの数が多いと光源４の上方部分により正確に風を当てることができるため、冷却ファンの数は多い方が好ましい。
【００３８】
また、冷却ファン５と光源４との間に、導風板を２枚以上備えてもよい。例えば、導風板を２枚備え、一の導風板である導風板７が冷却ファン５の発生する風を左右に分離するような設置傾斜角度でプロジェクタ装置が設置されたときに、他の導風板を、冷却ファンの発生する風を上下に分離するように配置する。すると、制御部２は、他の導風板の角度を冷却ファン５の発生した光源４の上方部分に向かう風を増やすように変化させ、光源４の上方を強く冷却し、光源４の各部分の温度を適正な温度差の範囲内に保つ。導風板の数が多いと光源４の上方部分により正確に風を当てることができるため、導風板の数は多い方が好ましい。
【００３９】
さらに、冷却ファンと導風板とを複数個ずつ備えていてもよい。そのような構成にし、各冷却ファンと各導風板とを、傾きセンサ１の検出した設置傾斜角度に基づいて、制御部２がそれぞれを光源４の上方に風がより強く当たるように制御すると、光源４の上方部分に、より正確に風を当てることができる。
【００４０】
また、傾きセンサ１の代わりに光源４の各部分の温度を測定する温度センサ１２を備えてもよい。温度センサ１２は複数設けられていてもよい。
【００４１】
温度センサ１２は光源４の各部分の温度を読み取る。制御部２は、温度センサ１２が読み取った光源４の各部分の温度から、高温となっている部分を抽出して、その部分に多く風を当てるように、導風板７を制御する。すると、光源４の上方部分に当たる風量は増え、光源４の高温部は強く冷却され、光源４の各部分の温度を適正な温度差の範囲内に保つ。
【００４２】
また、冷却部３の近傍に、光源４の冷却に使用する空気の温度を測定する温度センサ１３を備えてもよい。
【００４３】
温度センサ１３は、光源４の冷却に使用する空気の温度を読み取り、制御部２は、温度センサ１３が読み取った空気の温度から、冷却ファン５の回転速度を変化させる。空気の温度が所定の温度より低ければ、少ない風量で光源４が冷却されると判断して、冷却ファン５の回転速度を下げる。空気の温度が所定の温度より高ければ、光源４の冷却には大きな風量が必要になると判断して、冷却ファン５の回転速度を上げる。また、制御部２は、冷却ファンの回転速度を変化させる代わりに、導風板７の角度を変化させて、光源４に当たる風量を変化させてもよい。
【００４４】
実施の形態３．
以下、本発明の第３の実施の形態について説明する。
【００４５】
本実施の形態と、第１の実施の形態との構成の違いは、冷却部３が冷却ファン６の代わりに導風路８と、導風路９と、開閉部１０と、開閉部１１とを備えることである。導風路８および導風路９は、冷却ファン５が発生した風を通過させて、光源４のそれぞれ異なる部分に当たるように配置する。開閉部１０は、制御部２の制御に基づいて開閉して導風路８の開口面積を増減し、通過する風の量を制御する。開閉部１１は、制御部２の制御に基づいて開閉し導風路９の開口面積を増減して、導風路９を通過する風の量を制御する。
【００４６】
次に、この実施の形態の動作について、図４を参照して説明する。図４はこの実施の形態の冷却部３および光源４を表した図である。
【００４７】
傾きセンサ１は、設置傾斜角度を検出して制御部２に伝える。制御部２は、傾きセンサ１が検出した設置傾斜角度に基づいて重力の方向を認識し、光源４のどの部分が高温となる上方部分であるかを判断する。さらに制御部２は、光源４の上方部分に風を当てるのは導風路８であるか、導風路９であるかを判断する。例えば制御部２が、導風路８が発生した風が光源４の上方部分に当たると判断すると、導風路８を通過する風量を増やすべく、導風路８の開口面積を広くするため、開閉部１０を開くように制御信号を出力する。開閉部１０は開く動作をすると導風路８の開口面積は広がり、導風路８を通過する風量は導風路９を通過する風量に比べて多くなるため、光源４の上方部分に多く風が当たり、強く冷却され、光源４の各部分の温度を適正な温度差の範囲内に保つ。
【００４８】
制御部２が、傾きセンサ１が検出した設置傾斜角度から、導風路９を通過する風が光源４の上方部分に当たると判断した場合には、開閉部１１を開かせて導風路９を通過する風量を多くする。そして、光源４の上方部分を強く冷却し、光源４の各部分の温度を適正な温度差の範囲内に保つ。
【００４９】
冷却部３は冷却ファンを複数個備え、各導風路に風を出力してもよい。
【００５０】
また冷却部３は、導風路とそれに対応する開閉部とを３組以上備えてもよい。そのとき、各導風路の発生する風が光源４のそれぞれ異なる部分に当たるように各導風路を配置する。制御部２は、設置傾斜角度からどの導風路を通過した風が光源４の上方部分に当たるのかを判断して、当該導風路の開閉部を開かせる。すると、光源４の上方部分に多く風が当たり冷却され、光源４の各部分の温度を適正な温度差の範囲内に保つ。導風路の数が多いと光源４の上方部分により正確に風を当てることができるため、導風路の数は多い方が好ましい。
【００５１】
また、傾きセンサ１の代わりに光源４の各部分の温度を測定する温度センサ１２を備えてもよい。
【００５２】
温度センサ１２は光源４の各部分の温度を読み取る。制御部２は、温度センサ１２が読み取った光源４の各部分の温度から、高温となっている部分を抽出して、その部分を強く冷却するように各冷却ファンと、各開閉部とを制御する。すると、光源４の高温部は強く冷却され、光源４の各部分の温度を適正な温度差の範囲内に保つ。
【００５３】
また、冷却部３の近傍に、光源４の冷却に使用する空気の温度を測定する温度センサ１３を備えてもよい。
【００５４】
このとき、温度センサ１３は光源４の冷却に使用する空気の温度を読み取り、制御部２は、温度センサ１３が読み取った空気の温度から、冷却ファン５の回転速度を変化させる。空気の温度が所定の温度より低ければ、少ない風量で光源４が冷却されると判断して、冷却ファン５の回転速度を下げる。空気の温度が所定の温度より高ければ、光源４の冷却にはより大きな風量が必要になると判断して、冷却ファン５の回転速度を上げる。また、制御部２は、冷却ファン５の回転速度の代わりに、各開閉部を制御して各導風路の開口面積を変化させて光源４に当たる風の量を制御してもよい。
【００５５】
【発明の効果】
以上のように、本発明によれば、プロジェクタ装置の傾斜の角度を検出し、重力の方向を認識して、重力の方向と逆側の部分である光源の高温部分を特定する。そして光源の特定の部分を、光源の他の部分よりも強く冷却する構成としたため、設置傾斜角度によらず、光源の各部分の温度を適正な温度差の範囲内に保つことができる。
【００５６】
また、光源の各部分の温度を測定して、光源の高温部分を特定する。そして、光源の高温部分を、光源の他の部分に比べて強く冷却する構成としたため、光源の温度分布を適正に保つことができる。
【図面の簡単な説明】
【図１】本発明の第１の実施の形態の一構成例を表すブロック図である。
【図２】本発明の第１の実施の形態を説明する図である。
【図３】本発明の第２の実施の形態を説明する図である。
【図４】本発明の第３の実施の形態を説明する図である。
【図５】傾きセンサの代わりに温度センサを用いた形態を説明する図である。
【図６】冷却部の使用する空気の温度を測定する温度センサを用いた形態を説明する図である。
【図７】プロジェクタ装置に用いられる放電ランプの一構成例を表す図である。
【図８】従来のプロジェクタ装置の一構成例を表すブロック図である。
【符号の説明】
１  傾きセンサ
２  制御部
３  冷却部
４  光源
５  冷却ファン
６  冷却ファン
７  導風板
８  導風路
９  導風路
１０  開閉装置
１１  開閉装置
１２  温度センサ
１３  温度センサ
１４  陽極
１５  陰極
１６  アーク
１７  バルブ
１８  液晶パネル
１９  プロジェクタ装置
【図１】
2004191518.tif 000003
【図２】
2004191518.tif 000004
【図３】
2004191518.tif 000005
【図４】
2004191518.tif 000006
【図５】
2004191518.tif 000007
【図６】
2004191518.tif 000008
【図７】
2004191518.tif 000009
【図８】
2004191518.tif 000010